(57)【要約】【課題】光学的な読取りには、センサの感度のバラツキ（濃度むら）、読取媒体周辺部の影による影響を補正するために、白紙の基準シートをセットし読取る必要がある。【解決手段】画像読取部１はリニアセンサ２により一定の周期で、表示部に表示されている白色を１ライン単位で光学的に読取り、自動読取補正データとして制御部８のメモリ１０に記録する（ステップ１５）。平面液晶ディスプレイ付読取台５に読取媒体４をセットした状態でイメージリードボタン７を押下すると（ステップ１７）、表示部は読取媒体４の形状を読取るために黒色を表示する（ステップ１８）。画像読取部１は読取媒体４をイメージリードし（ステップ１９）、イメージリードしたデータを制御部８に転送する。制御部８はメモリ１０に格納されている直前の自動読取補正データを適用し（ステップ２０）、イメージデータを処理する（ステップ２１）。【選択図】  図２
2004200842.tif 000002
【特許請求の範囲】
【請求項１】
表示部を有する媒体の読取台と、前記表示部に表示された白色を光学的に読取り、かつ該表示部の上に置かれた媒体を光学的に読取る画像読取部と、該画像読取部から出力される白色読取データを読取補正データとして格納し、当該画像読取部から出力される媒体読取データを前記読取補正データで補正しながら画像処理する制御部とを具備することを特徴とする非接触型イメージスキャナ。
【請求項２】
表示部を有する媒体の読取台と、前記表示部に表示された白色を光学的に読取り、かつ該表示部の上に置かれた媒体を当該表示部に黒色を表示した状態で光学的に読取る前記読取台に対し高さを有する画像読取部と、該画像読取部から出力される白色読取データを読取補正データとして格納し、当該画像読取部から出力される媒体読取データを前記読取補正データで補正しながら画像処理する制御部とを具備することを特徴とする非接触型イメージスキャナ。
【請求項３】
表示部を有する媒体の読取台と、前記表示部に表示された白色を光学的に読取り、かつ該表示部の上に置かれた媒体を当該表示部に黒色を表示した状態で光学的に読取る前記読取台に対し高さを有する画像読取部と、該画像読取部から出力される白色読取データを読取補正データとして格納し、当該画像読取部から出力される媒体読取データを前記読取補正データで補正しながら画像処理する制御部とを具備し、前記制御部は前記画像読取部が白色を読取った後および画像処理が終了した後は前記表示部に画像を表示するように制御することを特徴とする非接触型イメージスキャナ。
【請求項４】
前記画像処理は、前記白色読取データを参照レベルとして前記媒体読取データを正規化する処理であることを特徴とする請求項１乃至３のいずれか１項に記載の非接触型イメージスキャナ。
【請求項５】
前記表示部は液晶ディスプレイであることを特徴とする請求項１乃至４のいずれか１項に記載の非接触型イメージスキャナ。
【請求項６】
前記白色読取データの採取は一定の周期で行なわれることを特徴とする請求項１乃至５のいずれか１項に記載の非接触型イメージスキャナ。
【発明の詳細な説明】
【０００１】
【発明の属する技術分野】
本発明は媒体の情報(数字，文字，罫線，記号，イメージなど)を光学的に読取り、コンピュータ等に取込むイメージスキャナに係り、特に非接触型イメージスキャナに関する。
【０００２】
【従来の技術】
特許文献１には、所定の画像を結像し、この結像された画像を電気信号に変換して検出し、所定の画像を照明するこれらの各機能部を一体として構成しているスタンド型のイメージスキャナ装置が開示されており、この構成によれば、装置の構成がシンプル化され、装置の小型・縮小化、取扱いの単純化、デザインの向上、多機能・多用途化等の達成が容易となることが記載されている。
【０００３】
特許文献２には、あらかじめ白紙の画像データを歪補正メモリに記憶しておき、原稿をスキャナで読取る際、歪補正メモリから白紙の読取信号を読出しながらシェーディング補正する技術が開示されている。
【０００４】
【特許文献１】
特開平８−９１０２号公報（第３頁、図１）
【特許文献２】
特開２０００−１１５５１０号公報（第４−５頁、図５）
【０００５】
【発明が解決しようとする課題】
上記従来の技術では、環境の変化に弱い為、常に一定の光学的な環境が続かない状況では、原稿を読取れないことがあり、再度読取りを行う必要がある。また、原稿を光学的に読取る際に、センサの感度のバラツキ（濃度むら）、原稿周辺部に生じる暗部（影）による影響を補正するために、白紙の基準シートを手動で原稿台にセットし読取るという煩わしい操作が必要である。
【０００６】
本発明の目的は、いったん設置した環境で、昼夜を問わず読取補正の設定を手動で行うことなく、正確なスキャンが行なえるイメージスキャナを提供することにある。
【０００７】
【課題を解決するための手段】
前記目的を達成するために、本発明の非接触型イメージスキャナにおいては、表示部を有する媒体の読取台と、前記表示部に表示された白色を光学的に読取り、かつ該表示部の上に置かれた媒体を光学的に読取る画像読取部と、該画像読取部から出力される白色読取データを読取補正データとして格納し、当該画像読取部から出力される媒体読取データを前記読取補正データで補正しながら画像処理する制御部とを具備する。
【０００８】
前記目的を達成するために、本発明の非接触型イメージスキャナにおいては、表示部を有する媒体の読取台と、前記表示部に表示された白色を光学的に読取り、かつ該表示部の上に置かれた媒体を当該表示部に黒色を表示しながら光学的に読取る前記読取台に対し高さを有する画像読取部と、該画像読取部から出力される白色読取データを読取補正データとして格納し、当該画像読取部から出力される媒体読取データを前記読取補正データで補正しながら画像処理する制御部とを具備する。
【０００９】
前記目的を達成するために、本発明の非接触型イメージスキャナにおいては、表示部を有する媒体の読取台と、前記表示部に表示された白色を光学的に読取り、かつ該表示部の上に置かれた媒体を当該表示部に黒色を表示しながら光学的に読取る前記読取台に対し高さを有する画像読取部と、該画像読取部から出力される白色読取データを読取補正データとして格納し、当該画像読取部から出力される媒体読取データを前記読取補正データで補正しながら画像処理する制御部とを具備し、前記制御部は前記画像読取部が白色を読取った後および画像処理が終了した後は前記表示部に画像を表示するように制御する。
【００１０】
前記画像処理は、前記白色読取データを参照レベルとして前記媒体読取データを正規化する処理である。
【００１１】
前記表示部は液晶ディスプレイで構成される。
【００１２】
前記白色読取データの採取は、一定の周期で行なわれる。
【００１３】
【発明の実施の形態】
図１は本発明の一実施例による液晶ディスプレイ表示台付非接触型イメージスキャナの外観図である。１は画像読取部、２はリニアセンサ、３は画像読取部１を支えている支持部、４は読取媒体、５は平面液晶ディスプレイ付読取台、６は机上面、７はイメージリードボタン、８は平面液晶ディスプレイと画像読取部の制御部（以下、制御部という）、１１はインターフェイスケーブル、１２はパーソナルコンピュータ（ＰＣ）である。制御部８はイメージデータの正規化処理と各部位の制御を行なうプロセッサ９と、イメージデータおよび正規化処理後のデータを格納するメモリ１０とで構成される。
【００１４】
図２は、電源投入後、非接触型イメージスキャナで原稿（読取媒体）を光学的に読取り、読取った画像を処理し、処理したデータをＰＣに取込み、電源を落とすまでの処理フローの一例である。
【００１５】
ＰＣ１２の電源と連動して非接触型イメージスキャナの電源が投入される（ステップ１３）。制御部８のプロセッサ９の制御により平面液晶ディスプレイ付読取台５の平面液晶ディスプレイ（以下、表示部という）は白色を表示する（ステップ１４）。
【００１６】
制御部８のプロセッサ９の制御により、画像読取部１はリニアセンサ２により一定の周期で、表示部に表示されている白色を１ライン単位で光学的に読取り、光電変換した信号をディジタルデータに変換し、自動読取補正データとして制御部８のメモリ１０に格納する（ステップ１５）。自動読取補正データを制御部８のメモリ１０に格納した後は、制御部８のプロセッサ９の制御により表示部には任意の個別画像（例えば広告など）が表示される（ステップ１６）。
【００１７】
次に、平面液晶ディスプレイ付読取台５に読取媒体４をセットした状態でイメージリードボタン７を押下すると（ステップ１７）、表示部は黒色を表示する（ステップ１８）。表示部の黒色表示により読取媒体４の端部を認識し、情報読取範囲を設定することができる。続いてプロセッサ９の制御によりリニアセンサ２は読取媒体４をイメージリードし（ステップ１９）、イメージリードしたデータを同軸ケーブルにより制御部８に転送する。制御部８のプロセッサ９はメモリ１０に格納されている直前の自動読取補正データを適用し（ステップ２０）、イメージデータを正規化処理する（ステップ２１）。
【００１８】
イメージリードは、制御部８のプロセッサ９の制御により画像読取部１のリニアセンサ２を読取媒体４の列方向（図１のX方向）に副走査移動させながら１行単位で光学的にスキャンして行なわれる。イメージデータの正規化処理は、表示部の白色を読取った信号を参照白レベルとして読取媒体４から読取ったイメージデータを正規化する処理であり、読取媒体周辺部が暗く影になる現象や、リニアセンサ２の感度のバラツキ（濃度むら）を補正する処理である。具体的には、読取媒体４の読取時の入力データSｉを白色読取信号である自動読取補正データＰｉで補正するものであり、参照白レベルをＰｏとしたとき正規化後のデータＳｏは、Ｓｉ×Ｐｏ／Ｐｉで求めることができる。
【００１９】
正規化処理されたイメージデータは、インターフェイスケーブル１１を介してＰＣ１２に取込まれる。制御部８はイメージデータを処理した後は、平面液晶ディスプレイ付読取台５の表示部に再び個別画面が表示されるよう制御する（ステップ２２）。このように、平面液晶ディスプレイ付読取台５を使用しないときは、表示部に広告などの個別画像を表示することで表示部を有効に活用することができる。
【００２０】
さらに、一定時間が経過した場合（ステップ２３）、現在の光学的環境に適合させる為、再び表示部に白色を表示し（ステップ１４）、自動読取補正データを採取する（ステップ１５）。
【００２１】
ステップ２３において一定時間が経過していない場合、運用が続くのであれば（ステップ２４）、平面液晶ディスプレイ付読取台５に次の読取媒体４をセットしイメージリードボタン７を押下する（ステップ１７）。ステップ２４において運用が終了していれば、ＰＣ１２および非接触型イメージスキャナの電源を落とし作業を終了する（ステップ２５）。
【００２２】
【発明の効果】
以上の説明のとおり本発明の非接触形イメージスキャナによれば、一定の時間間隔で自動読取補正を行う機能を付加することにより、正確にスキャンしたイメージデータを取込むことが可能となる。
【図面の簡単な説明】
【図１】本発明の一実施例による非接触型イメージスキャナの外観及び構成図である。
【図２】本発明の一実施例による非接触型イメージスキャナの動作を示すフローチャートである。
【符号の説明】
１：画像読取部                          ２：リニアセンサ
３：支持部                              ４：読取媒体
５：平面液晶ディスプレイ付読取台        ６：机上面
７：イメージリードボタン                ８：表示部と画像読取部の制御部
９：プロセッサ                          １０：メモリ
１１：インターフェイスケーブル          １２：パーソナルコンピュータ
【図１】
2004200842.tif 000003
【図２】
2004200842.tif 000004